(57)【要約】【課題】電力低下に伴う機能低下を防止しながら、携帯端末間において電力を受渡することが可能な、携帯端末及び電力受渡方法を提供する。【解決手段】電力受渡システム１は、異なる携帯端末間で電力を受け渡す際、電力送信側携帯端末１０におけるユーザの使用履歴に基づいて、そのユーザが１日に使用する機能と使用時間とを算出し、その機能を１日実行するための必要電力量を算出している。そして、電力送信側携帯端末１０は、算出された必要電力量を下回らないように電力を受け渡すようにしている。【選択図】図１
2010237931.tif 000002
【特許請求の範囲】
【請求項１】
携帯端末に搭載された機能が稼動した時間を記憶する稼動状況記憶手段と、
前記機能における所定時間あたりの稼働時間を算出する稼動時間算出手段と、
前記機能が前記稼動時間算出手段において算出された前記稼動時間稼動するために必要な必要電力量を算出する送信側閾値算出手段と、
電池の電力量を検出する送信側電力量検知手段と、
他の携帯端末へ電力を送信する電力送信手段と、
前記他の携帯端末へ電力を送信する際に、前記電力量検知手段で検知される前記電池の電力量が、前記閾値算出手段で算出された前記必要電力量を下回らないように、前記電力送信手段を制御する電力送信制御手段と、
を備えることを特徴とする、携帯端末。
【請求項２】
前記他の携帯端末から送信される、所定の電力量の充電が完了したことを知らせる完了信号を受信する完了信号受信手段をさらに備えており、
前記電力送信制御手段は、前記完了信号受信手段が前記完了信号を受信した際、前記他の携帯端末に電力を送信することを停止するように前記電力送信手段を制御する、
ことを特徴とする、請求項１に記載の携帯端末。
【請求項３】
携帯端末に搭載された機能のうち、ユーザが使用したい要望機能の入力を受け付ける使用機能設定手段と、
前記使用機能設定手段において入力された前記要望機能の使用要望時間の入力を受け付ける使用時間設定手段と、
前記使用機能設定手段において入力された前記要望機能を、前記使用時間設定手段において入力された前記使用要望時間稼動させるために必要な必要電力量を算出する受信側閾値算出手段と、
電池の電力量を検知する受信側電力量検知手段と、
他の携帯端末から電力を受信する電力受信手段と、
前記他の携帯端末から電力を受信する際に、前記電力量検知手段で検知される前記電池の電力量が、前記受信側閾値算出手段で算出された前記必要電力量を上回らないように、前記電力受信手段を制御する電力受信制御手段と、
を備えることを特徴とする、携帯端末。
【請求項４】
前記受信側閾値算出手段で算出された前記電力量を前記他の携帯端末から受信した際、充電が完了したことを示す完了信号を前記他の携帯端末に送信する完了信号送信手段をさらに備えている、
ことを特徴とする、請求項３に記載の携帯端末。
【請求項５】
携帯端末どうしで電力を受渡する際の電力受渡方法であって、
前記携帯端末に搭載された機能が実行された時間を記憶する稼動状況記憶ステップと、
前記機能の所定時間あたりの稼働時間を算出する稼動時間算出ステップと、
前記稼動時間算出ステップにおいて算出された前記稼動時間に基づいて、前記機能を所定時間実行するために必要な必要電力量を算出する送信側閾値算出ステップと、
前記他の携帯端末へ電力を受け渡す際に、電池の電力量が、前記送信側閾値算出ステップで算出された前記必要電力量を下回らないように電力を受け渡す電力受渡ステップと、
を備えることを特徴とする、電力受渡方法。
【請求項６】
携帯端末どうしで電力を受渡する際の電力受渡方法であって、
前記携帯端末に搭載された機能のうち、ユーザが使用したい要望機能の入力を受け付ける使用機能設定ステップと、
前記使用機能設定ステップにおいて入力された前記機能に対する使用要望時間を入力の受け付ける使用時間設定ステップと、
前記使用機能設定ステップにおいて入力された前記要望機能を、前記使用時間設定ステップにおいて入力された前記使用要望時間稼動させるために必要な必要電力量を算出する受信側閾値算出ステップと、
前記他の携帯端末から電力を受け取る際に、電池の電力量が、前記受信側閾値算出ステップで算出された前記必要電力量を上回らないように電力を受け取る電力受取ステップと、
を備えることを特徴とする、電力受渡方法。
【請求項７】
送信側携帯端末と受信側携帯端末との間で電力を受渡する際の電力受渡方法であって、
前記送信側携帯端末に搭載された機能が実行された時間を記憶する稼動状況記憶ステップと、
前記機能の所定時間あたりの稼働時間を算出する稼動時間算出ステップと、
前記稼動時間算出ステップにおいて算出された前記稼動時間に基づいて、前記機能を所定時間実行するために必要な必要電力量を算出する送信側閾値算出ステップと、
前記受信側携帯端末へ電力を受け渡す際に、電池の電力量が、前記送信側閾値算出ステップで算出された前記必要電力量を下回らないように電力を受け渡す電力受渡ステップと、
を有している送信側ステップと、
前記受信側携帯端末に搭載された機能のうち、ユーザが使用したい要望機能の入力を受け付ける使用機能設定ステップと、
前記使用機能設定ステップにおいて入力された前記機能に対する使用要望時間を入力の受け付ける使用時間設定ステップと、
前記使用機能設定ステップにおいて入力された前記要望機能を、前記使用時間設定ステップにおいて入力された前記使用要望時間稼動させるために必要な必要電力量を算出する受信側閾値算出ステップと、
前記送信側携帯端末から電力を受け取る際に、電池の電力量が、前記受信側閾値算出ステップで算出された前記必要電力量を上回らないように電力を受け取る電力受取ステップと、
を有している受信側ステップと、
を備えることを特徴とする、電力受渡方法。
【発明の詳細な説明】
【技術分野】
【０００１】
本発明は、携帯端末間で電力の受渡をするための携帯端末及び電力受渡方法に関する。
【背景技術】
【０００２】
近年、携帯電話端末の高機能化、多機能化に伴い、電池の電力消費は増大する一方である。このため、外出中に電池残量がなくなるケースが多々あり、電池の持ち時間の長時間化が望まれている。
【０００３】
このような状況の下、ユーザが携帯端末を利用していない場合は、省電力モードになる等、電力消費量を抑える技術が開示されている。
【０００４】
例えば、特許文献１では、ユーザが表示画面を見るために携帯端末本体に対して加えた物理的な挙動を検出するセンサを備え、当該センサに基づいて省電力モードに移行あるいは省電力モードから復帰する技術が開示されている。これによれば、誤って何らかの操作がされた場合であっても、省電力モードから復帰することがなくなるので、より省電力効果を高めることができる。
【０００５】
また、特許文献２では、接触センサと顔向けセンサとを備え、これらの検知結果に基づいて、ユーザが実際に操作しようとする機能のみに電源を供給することによって、電池の消耗を低減する携帯型情報端末が開示されている。
【先行技術文献】
【特許文献】
【０００６】
【特許文献１】特開２００７−８０２１９号公報
【特許文献２】特開２００４−４６３８６号公報
【発明の概要】
【発明が解決しようとする課題】
【０００７】
しかしながら、上記特許文献１及び特許文献２に記載の技術は、長時間、様々な機能を使用するユーザが増えている現状においては、根本的な電池の持ち時間の解決は実現できない。また、電池の残量が少なくなって充電をしたい場合、大多数の人は、充電池を持ち歩いてわけではないので、電源のある場所にいても充電できる機会は極めて少ない。
【０００８】
本発明は、係る状況を鑑み、電力低下に伴う機能低下を防止しながら、携帯端末間において電力を受渡することが可能な、携帯端末及び電力受渡方法を提供することを目的とする。
【課題を解決するための手段】
【０００９】
上記課題を解決するため、本発明の携帯端末は、携帯端末に搭載された機能が稼動した時間を記憶する稼動状況記憶手段と、機能における所定時間あたりの稼働時間を算出する稼動時間算出手段と、機能が稼動時間算出手段において算出された稼動時間稼動するために必要な必要電力量を算出する送信側閾値算出手段と、電池の電力量を検出する送信側電力量検知手段と、他の携帯端末へ電力を送信する電力送信手段と、他の携帯端末へ電力を送信する際に、電力量検知手段で検知される電池の電力量が、閾値算出手段で算出された必要電力量を下回らないように、電力送信手段を制御する電力送信制御手段と、を備えることを特徴とする。
【００１０】
また、本発明の電力受渡方法は、携帯端末どうしで電力を受渡する際の電力受渡方法であって、携帯端末に搭載された機能が実行された時間を記憶する稼動状況記憶ステップと、機能の所定時間あたりの稼働時間を算出する稼動時間算出ステップと、稼動時間算出ステップにおいて算出された稼動時間に基づいて、機能を所定時間実行するために必要な必要電力量を算出する送信側閾値算出ステップと、他の携帯端末へ電力を受け渡す際に、電池の電力量が、送信側閾値算出ステップで算出された必要電力量を下回らないように電力を受け渡す電力受渡ステップと、を備えることを特徴とする。
【００１１】
なお、ここでいう機能とは、例えば、音声電話、ＴＶ電話、メール等を実行する装置やプログラムが含まれる。また、稼動状況記憶手段あるいは稼動状況記憶ステップにおいて稼動時間を記憶する対象となる機能は、一つであっても複数であってもよい。
【００１２】
このような携帯端末、あるいは、電力受渡方法によれば、各種機能の使用履歴に基づいて、ユーザごとに使用する機能を抽出し、抽出された機能を所定時間（例えば、１日）使用するための必要電力量を算出することができる。そして、この携帯端末、あるいは、電力受渡方法では、その必要電力量を下回らない範囲で、他の携帯端末へ電力を受け渡すようにしている。この結果、電力低下に伴う機能低下を防止しながら、携帯端末間において電力を受渡することが可能となる。
【００１３】
また、本発明の携帯端末は、他の携帯端末から送信される、所定の電力量の充電が完了したことを知らせる完了信号を受信する完了信号受信手段をさらに備えており、電力送信制御手段は、完了信号受信手段が完了信号を受信した際、他の携帯端末に電力を送信することを停止するように電力送信手段を制御してもよい。これにより、例えば、受信側として機能する携帯端末が必要な電力量を得たとして電力の受け入れを停止した際に、送信側として機能する携帯端末が電力を送信し続ける（送信側携帯端末における電池の電力量が送信側閾値算出手段で算出された電力量以上にある場合）ことを回避することができる。この結果、送信側として機能する携帯端末の無駄な電力の放出を防止することが可能となる。
【００１４】
また、本発明の携帯端末は、携帯端末に搭載された機能のうち、ユーザが使用したい要望機能の入力を受け付ける使用機能設定手段と、使用機能設定手段において入力された要望機能の使用要望時間の入力を受け付ける使用時間設定手段と、使用機能設定手段において入力された要望機能を、使用時間設定手段において入力された使用要望時間稼動させるために必要な必要電力量を算出する受信側閾値算出手段と、電池の電力量を検知する受信側電力量検知手段と、他の携帯端末から電力を受信する電力受信手段と、他の携帯端末から電力を受信する際に、電力量検知手段で検知される電池の電力量が、受信側閾値算出手段で算出された必要電力量を上回らないように、電力受信手段を制御する電力受信制御手段と、を備えることを特徴とする。
【００１５】
また、本発明の電力受渡方法は、携帯端末どうしで電力を受渡する際の電力受渡方法であって、携帯端末に搭載された機能のうち、ユーザが使用したい要望機能の入力を受け付ける使用機能設定ステップと、使用機能設定ステップにおいて入力された機能に対する使用要望時間の入力を受け付ける使用時間設定ステップと、使用機能設定ステップにおいて入力された要望機能を、使用時間設定ステップにおいて入力された使用要望時間稼動させるために必要な必要電力量を算出する受信側閾値算出ステップと、他の携帯端末から電力を受け取る際に、電池の電力量が受信側閾値算出ステップで算出された必要電力量を上回らないように電力を受け取る電力受取ステップと、を備えることを特徴とする。
【００１６】
このような携帯端末、あるいは、電力受渡方法によれば、ユーザごとに入力された「使用したい機能」と「その機能を使用したい時間」とに基づいて、所定時間あたり（例えば、１日あたり）使用する必要電力量を算出することができる。そして、携帯電話、あるいは、電力受渡方法は、その必要電力量を上回らない範囲で、他の携帯端末から電力を受け取ることが可能となる。この結果、他の携帯端末から必要最低限の電力しか受け取らなくなるので、送信側の携帯端末の電力低下に伴う機能低下を防止しながら、携帯端末間において電力を受渡することが可能となる。
【００１７】
また、本発明の携帯端末は、受信側閾値算出手段で算出された電力量を他の携帯端末から受信した際、充電が完了したことを示す完了信号を他の携帯端末に送信する完了信号送信手段をさらに備えていてもよい。これにより、例えば、受信側として機能する携帯端末が、受信側閾値算出手段で算出された電力量を確保して電力の受け入れを停止した際に、送信側として機能する携帯端末が電力を送信し続けることを回避することができる。この結果、送信側として機能する携帯端末の無駄な電力の放出を防止することが可能となる。
【００１８】
また、本発明の電力受渡方法は、送信側携帯端末と受信側携帯端末との間で電力を受渡する際の電力受渡方法であって、送信側携帯端末に搭載された機能が実行された時間を記憶する稼動状況記憶ステップと、機能の所定時間あたりの稼働時間を算出する稼動時間算出ステップと、稼動時間算出ステップにおいて算出された稼動時間に基づいて、機能を所定時間実行するために必要な必要電力量を算出する送信側閾値算出ステップと、受信側携帯端末へ電力を受け渡す際に、電池の電力量が、送信側閾値算出ステップで算出された必要電力量を下回らないように電力を受け渡す電力受渡ステップと、を有している送信側ステップと、受信側携帯端末に搭載された機能のうち、ユーザが使用したい要望機能の入力を受け付ける使用機能設定ステップと、使用機能設定ステップにおいて入力された機能に対する使用要望時間を入力の受け付ける使用時間設定ステップと、使用機能設定ステップにおいて入力された要望機能を、使用時間設定ステップにおいて入力された使用要望時間稼動させるために必要な必要電力量を算出する受信側閾値算出ステップと、送信側携帯端末から電力を受け取る際に、電池の電力量が、受信側閾値算出ステップで算出された必要電力量を上回らないように電力を受け取る電力受取ステップと、を有している受信側ステップと、を備えることを特徴としている。
【００１９】
このような電力受渡方法によれば、各種機能の使用履歴に基づいて、ユーザごとに使用する機能を抽出し、抽出された機能を所定時間あたり（例えば、１日あたり）使用するための必要電力量を算出することができる。そして、電力受渡方法は、その必要電力量を下回らない範囲で、受信側携帯端末へ電力を受け渡すようにしている。また、ユーザごとに入力された「使用したい機能」と「その機能を使用したい時間」とに基づいて、所定時間あたり（例えば、１日あたり）使用する必要電力量を算出することができる。そして、電力受渡方法は、その必要電力量を上回らない範囲で、送信側携帯端末から電力を受け取ることが可能となる。この結果、互いに、必要最低限の電力量しか受渡しなくなるので、電力低下に伴う機能低下を防止しながら、携帯端末間において電力を受渡することが可能となる。
【発明の効果】
【００２０】
本発明によれば、電力低下に伴う機能低下を防止しながら、携帯端末間において電力を受渡することが可能となる。
【図面の簡単な説明】
【００２１】
【図１】本発明の好適な一実施形態にかかる携帯端末を利用した電力受渡システムの構成図である。
【図２】図１の各アプリケーション実行部の詳細を示した構成図である。
【図３】図１の各アプリケーション実行部における必要電力量の算出例を示した表である。
【図４】図１の各アプリケーション実行部における単位時間あたりの必要電力量を示した表である。
【図５】図１の各アプリケーション実行部における単位時間あたりの使用要望時間と必要電力量を示した表である。
【図６】図１の電力受渡システムにおける電力送信側携帯端末における処理の流れを示したフローチャートである。
【図７】図１の電力受渡システムにおける電力受信側携帯端末における処理の流れを示したフローチャートである。
【図８】本発明の好適な他の実施形態にかかる電力受渡システムの構成図である。
【発明を実施するための形態】
【００２２】
本発明の好適な一実施形態に係る電力受渡システム１について、図１〜図６を用いて説明する。なお、図面の説明においては、同一要素には同一符号を付し、重複する説明を省略する。
【００２３】
図１は、本発明の一実施形態に係る電力受渡システム１の構成図である。電力受渡システム１は、電力送信側携帯端末１０と電力受信側携帯端末４０とを備えている。そして、電力送信側携帯端末１０と電力受信側携帯端末４０とは電力送信部（コイル）３３によって互いに非接触で電力を受渡する。
【００２４】
電力送信側携帯端末１０は、アプリケーション実行部（機能）１１と、稼動状況記憶部（稼動状況記憶手段）２１と、稼動時間算出部（稼動時間算出手段）２２と、送信側閾値算出部（送信側閾値算出手段）２３と、電力送信制御部（電力送信制御手段）２４と、電池３１と、送信側電力量検知部（送信側電力量検知手段）３２と、電力送信部（電力送信手段）３３と、完了信号受信部（完了信号受信手段）３４とを含んで構成されている。
【００２５】
ここで、アプリケーション実行部１１、稼動状況記憶部２１、稼動時間算出部２２、送信側閾値算出部２３及び電力送信制御部２４の各機能は、図示しないが、ＣＰＵ、主記憶装置であるＲＡＭ及びＲＯＭ、ハードディスク装置、メモリカード等の補助記憶装置等を用いて、ＲＡＭ等のハードウェア上に所定のプログラムを読み込ませることにより、ＣＰＵの制御のもとで実行される。
【００２６】
電力受信側携帯端末４０は、使用機能設定部（使用機能設定手段）４１と、使用時間設定部（使用時間設定手段）４２と、受信側閾値算出部（受信側閾値算出手段）４３と、電力受信制御部（電力受信制御手段）４４と、電池５１と、受信側電力量検知部５２（受信側電力量検知手段）と、電力受信部（電力受信手段）５３と、完了信号送信部（完了信号送信手段）５４とを含んで構成されている。
【００２７】
ここで、使用機能設定部４１、使用時間設定部４２、受信側閾値算出部４３及び電力受信制御部４４の各機能は、図示しないが、ＣＰＵ、主記憶装置であるＲＡＭ及びＲＯＭ、ハードディスク装置、メモリカード等の補助記憶装置等を用いて、ＲＡＭ等のハードウェア上に所定のプログラムを読み込ませることにより、ＣＰＵの制御のもとで実行される。
【００２８】
以下、電力受渡システム１を構成する電力送信側携帯端末１０と電力受信側携帯端末４０の機能について説明する。最初に、電力送信側携帯端末１０について説明する。
【００２９】
アプリケーション実行部１１は、図２に示すように、携帯端末に搭載されている各種機能を実行するプログラム等である。ここでは、それらの一部として、音声電話機能、ＴＶ電話機能、メール機能、Ｗｅｂ閲覧機能、Ｊａｖａ（登録商標）アプリ機能を実行する、音声電話実行部１２、ＴＶ電話実行部１３、メール実行部１４、Ｗｅｂ閲覧実行部１５、Ｊａｖａアプリ実行部１６を用いて、本実施形態を説明する。
【００３０】
稼動状況記憶部２１は、前述の音声電話実行部１２、ＴＶ電話実行部１３、メール実行部１４、Ｗｅｂ閲覧実行部１５、Ｊａｖａアプリ実行部１６におけるそれぞれの、例えば、過去１０日間の稼働時間を記憶する。
【００３１】
稼動時間算出部２２は、音声電話実行部１２、ＴＶ電話実行部１３、メール実行部１４、Ｗｅｂ閲覧実行部１５、Ｊａｖａアプリ実行部１６におけるそれぞれの１日（所定時間）あたりの稼働時間を算出する。具体的には、図３に示すように、アプリケーション実行部１１における１日あたりの平均稼動時間を算出する。そして、例えば、図３に示すように、音声電話実行部１２が稼動した時間３４分、ＴＶ電話実行部１３が稼動した時間２分、メール実行部１４が稼動した時間１３分、Ｗｅｂ閲覧実行部１５が稼動した時間２１分、Ｊａｖａアプリ実行部１６が稼動した時間５１分といった値が算出される。
【００３２】
送信側閾値算出部２３は、アプリケーション実行部１１が、稼動時間算出部２２が算出した平均稼働時間実行するための必要な電力である必要電力量を算出する。送信側閾値算出部２３が必要電力量を算出するにあたっては、図４に示すようなアプリケーション実行部１１の単位時間（例えば、１時間）あたりの必要電力量を示したデータベースに基づいて算出する。ここでは、音声電話機能、ＴＶ電話機能、メール機能、Ｗｅｂ閲覧機能、Ｊａｖａアプリ機能を１時間実行するのに必要な電力量をそれぞれ、α（ｗ）、β（ｗ）、γ（ｗ）、σ（ｗ）、ε（ｗ）とする。これにより、送信側閾値算出部２３は、図４の単位時間あたりの必要電力量に上述の平均稼働時間を乗じることによって、アプリケーション実行部１１の１日あたりの必要電力量を得ることができる。そして、例えば、図３に示すように、音声電話実行部１２、ＴＶ電話実行部１３、メール実行部１４、Ｗｅｂ閲覧実行部１５、Ｊａｖａアプリ実行部１６におけるそれぞれの必要電力量が、１４８（ｗ）、２０（ｗ）、２３（ｗ）、１０３（ｗ）、２３０（ｗ）といった値が算出される。
【００３３】
電池３１は、電力送信側携帯端末１０の各種機能を実行するためのアプリケーション実行部１１に必要な電力を供給する。
【００３４】
送信側電力量検知部３２は、電池３１における電力量を検知する。
【００３５】
電力送信制御部２４は、電力受信側携帯端末４０へ電力を受け渡す際に、送信側電力量検知部３２で検知される電池３１の電力量が、送信側閾値算出部２３で算出された必要電力を下回らないように電力送信部３３を制御する。具体的には、図３に示すように、音声電話実行部１２、ＴＶ電話実行部１３、メール実行部１４、Ｗｅｂ閲覧実行部１５及びＪａｖａアプリ実行部１６における必要電力量の合計が５２４（ｗ）である場合、電力送信制御部２４は、電池３１における電力量が５２４（ｗ）を下回らないように、電力受信側携帯端末４０へ受け渡す電力量を制御する。すなわち、電力送信制御部２４は、電池３１における電力量が５２４（ｗ）にまで下がった時点で、電力を送信することを停止するように電力送信部３３を制御する。
【００３６】
電力送信部３３は、電力送信側携帯端末１０の電池３１に貯えられている電力を、電力受信側携帯端末４０へ受け渡す。
【００３７】
完了信号受信部３４は、電力受信側携帯端末４０側より送信されてくる完了信号を受信する。なお、完了信号については、後段にて詳述する。そして、電力送信制御部２４は、完了信号受信部３４において完了信号を受信したことを検知すると、電力受信側携帯端末４０に向けて電力が送信されることを停止するように、電力送信部３３を制御する。
【００３８】
なお、完了信号受信部３４と後述する完了信号送信部５４との間の完了信号は、ｉｃチップやbluetooth（登録商標）等の近距離無線通信によって送受信されている。
【００３９】
次に、電力受信側携帯端末４０について説明する。電力受信側携帯端末４０は、使用機能設定部４１と、使用時間設定部４２と、受信側閾値算出部４３と、電力受信制御部４４と、電池５１と、受信側電力量検知部５２と、電力受信部（コイル）５３と、完了信号送信部５４とを有している。
【００４０】
使用機能設定部４１は、電力受信側携帯端末４０に搭載された各種機能を実行するための各種アプリケーション実行部（図示せず）のうち、ユーザが使用したいアプリケーション実行部の入力を受け付ける。ユーザは、例えば、図５に示すように、音声電話機能とメール機能とＷｅｂ閲覧機能とを使用したい旨の入力を図示しないインタフェイス等によって行うことができる。
【００４１】
使用時間設定部４２は、使用機能設定部４１において入力されたアプリケーション実行部に対して、ユーザが稼動させたい使用要望時間をさらに受け付ける。ユーザは、例えば、図５に示すように、音声電話機能について１７分、メール機能について２６分、ｗｅｂ閲覧機能について２１分使用したい旨の入力を図示しないインタフェイス等によって行うことができる。
【００４２】
受信側閾値算出部４３は、使用機能設定部４１において入力された機能を、使用時間設定部４２において入力された使用要望時間稼動させるために必要な必要電力量を算出する。受信側閾値算出部４３が必要電力量を算出するにあたっては、図４に示すように、各アプリケーション実行部の単位時間あたりの必要電力量を示したデータベースに基づいて算出する。これにより、受信側閾値算出部４３は、単位時間あたりの必要電力量に上述の使用要望時間を乗じることによって必要電力量を得ることができる。そして、例えば、図５に示すように、音声電話機能、メール機能、Ｗｅｂ閲覧機能におけるそれぞれの必要電力量である、７４（ｗ）、４６（ｗ）、１０３（ｗ）といった値が算出される。
【００４３】
電池５１は、電力受信側携帯端末４０の各種機能を実行するためのアプリケーション実行部が実行するにあたって必要な電力を供給する。
【００４４】
受信側電力量検知部５２は、電池５１が保有する電力量を検知する。
【００４５】
電力受信部５３は、電力送信側携帯端末１０から送信される電力を受け取る。
【００４６】
電力受信制御部４４は、電力送信側携帯端末１０から電力を受け取る際に、受信側電力量検知部５２で検知される電池５１の電力量が、受信側閾値算出部４３で算出された必要電力量を上回らないように電力受信部５３を制御する。具体的には、図５に示すように、音声電話機能、メール実行機能及びＷｅｂ閲覧機能における必要電力量の合計が２２３（ｗ）である場合、電力受信制御部４４は、電池５１における電力量が２２３（ｗ）を上回らないように、電力送信側携帯端末１０から受け取る電力量を制御する。すなわち、電力受信制御部４４は、電池５１における電力量が２２３（ｗ）に達した時点で、電力の受け取りを停止するように、電力受信部５３を制御する。
【００４７】
完了信号送信部５４は、電力受信制御部４４が、電力送信側携帯端末１０から送信される電力の受け取りを停止するように電力受信部５３を制御した際、電力送信側携帯端末１０に向けて、充電が完了したことを示す充電完了信号を送信する。
【００４８】
以下、図６，図７を用いて、電力受渡システム１の動作について説明する。最初に、電力送信側携帯端末１０において、電力を送信する際の処理について説明する。
【００４９】
電力送信側携帯端末１０は、ユーザが使用したアプリケーションの使用履歴を継続的に記憶している（ステップＳ０１）。具体的には、稼動状況記憶部２１が、過去１０日間におけるユーザが使用したアプリケーションとその使用時間とを記憶している。
【００５０】
この状態で、ユーザは、電力送信側携帯端末１０から電力受信側携帯端末４０へ電力を受け渡すために、互いの携帯端末１０，４０を電力が受け渡すことができる状態に配置する。非接触で電力を受渡する場合には、例えば、電力送信側携帯端末１０及び電力受信側携帯端末４０を電力受渡モードに設定した後、互いに所定の距離に配置する。そして、電力送信側携帯端末１０及び電力受信側携帯端末４０の少なくとも一方で、例えば、電力受渡開始ボタンを操作することにより、電力受渡開始命令が与えられ、電力送信側携帯端末１０は、電力送信命令を受領する（ステップＳ０２）。
【００５１】
また、電力送信側携帯端末１０は、ステップＳ１において取得したユーザのアプリケーションの使用履歴から、そのユーザが使用するアプリケーションの１日あたり平均使用時間を算出する。（ステップＳ０３）。
【００５２】
電力送信側携帯端末１０は、電力送信命令を受領すると、ユーザの使用履歴に基づいて、そのユーザがそれらのアプリケーションを１日実行するために必要な電力量である必要電力量を算出する。具体的には、ユーザのアプリケーションの使用履歴を記憶する稼動状況記憶部２１のデータを利用して、送信側閾値算出部２３が、そのユーザが使用するアプリケーションを１日実行するために必要な電力を算出する（ステップＳ０４）。
【００５３】
次に、電力送信側携帯端末１０は、ステップＳ４において算出された必要電力量と電池残量とを比較する（ステップＳ０５）。そして、電池残量が、そのユーザが使用するアプリケーションを１日実行するために必要な電力量よりも少ない場合、電力送信側携帯端末１０は、電力受信側携帯端末４０へ電力を供給しないまま処理を中止する（ステップＳ０８）。一方、電池残量が、そのユーザが使用するアプリケーションを１日実行するために必要な電力量よりも多い場合、電力送信側携帯端末１０は、電力受信側携帯端末４０への電力供給を開始する（ステップＳ０６）。具体的には、電力送信制御部２４は、送信側電力量検知部３２で検知される電力量と送信側閾値算出部２３で算出される必要電力量とを比較する。そして、電池残量が必要電力量よりも多いと判定した場合、電力送信制御部２４は、電力受信部５３に向けて電力を送信するように電力送信部３３を制御する。
【００５４】
次に、電力送信側携帯端末１０は、電力受信側携帯端末４０において必要とする電力量が充電されたかどうか確認する（ステップＳ０７）。具体的には、電力送信制御部２４が、電力送信側携帯端末１０から送信されてくる充電完了信号を完了信号受信部３４において受信していないかどうか確認する。ここで、完了信号受信部３４において充電完了信号を受信していない場合には、ステップＳ０５に戻り、必要電力量と電池残量とを比較する。一方、完了信号受信部３４が充電完了信号を受信した場合には、電力受信側携帯端末４０において必要とする電力量を充電できたと判断して、電力受信側携帯端末４０へ電力を送信することを停止する。
【００５５】
次に、電力受信側携帯端末４０において、電力を受信する際の処理について説明する。最初に、例えば、電力送信側携帯端末１０及び電力受信側携帯端末４０の一方において電力受渡開始命令が与えられることにより、電力受信側携帯端末４０は、電力受信命令を受領する（ステップＳ１１）。
【００５６】
次に、電力受信側携帯端末４０は、ユーザが電力受信側携帯端末４０において使用したいと考える機能の入力を受け付ける（ステップＳ１２）。具体的には、図示しない入力インタフェイスによってユーザの入力を受け付けて、その情報を記憶する。
【００５７】
また、電力受信側携帯端末４０は、上記使用したい機能について、さらに、使用したいと考える時間の入力を受け付ける（ステップＳ１３）。具体的には、図示しない入力インタフェイスによってユーザの入力を受け付けて、その情報を記憶する。
【００５８】
次に、電力受信側携帯端末４０は、ユーザの使用要望に基づいて、当該アプリケーションを実行するために必要な電力量を算出する。具体的には、使用機能設定部４１と、使用時間設定部４２とにおいて入力された情報に基づいて、受信側閾値算出部４３が、そのアプリケーションを実行するために必要な電力量を算出する（ステップＳ１４）。
【００５９】
次に、電力受信側携帯端末４０は、ステップＳ１４において算出された必要電力量と電池残量とを比較する（ステップＳ１５）。そして、電池残量が必要電力量よりも多い場合、電力受信側携帯端末４０は、電力送信側携帯端末１０からの電力を受け取らないまま処理を中止する（ステップＳ１８）。一方、電池残量が必要電力量よりも少ない場合、電力受信側携帯端末４０は、電力送信側携帯端末１０からの電力受信を開始する（ステップＳ１６）。具体的には、電力受信制御部４４は、受信側電力量検知部５２で検知される電力量と受信側閾値算出部４３で算出される必要電力量とを比較する。そして、電池残量が必要電力量よりも少ないと判定した場合、電力受信制御部４４は、電力送信部３３から送信されてくる電力を受信するように電力受信部５３を制御する。
【００６０】
次に、電力受信側携帯端末４０は、電力送信側携帯端末１０から電力を受信できているかどうか確認する（ステップＳ１７）。ここで、電力受信側携帯端末４０が電力送信側携帯端末１０から電力を受信できていない場合には、処理を中止する（ステップＳ１８）。一方、電力受信側携帯端末４０が、電力送信側携帯端末１０から電力を受信できている場合には、ステップＳ１５に戻る。
【００６１】
そして、電力受信制御部４４は、必要電力量を満たす電力が受信できたかどうかを確認するために、再び必要電力量と電池残量とを比較する。ここで、電池残量が必要電力量以上となった場合、電力受信制御部４４は、電力送信側携帯端末１０に充電完了信号を送信すると共に、電力受信側携帯端末４０からの電力受信を停止するように電力受信部５３を制御する（ステップＳ１８）。
【００６２】
以上、説明した電力受渡システム１によれば、異なる携帯端末間で電力を受け渡す際、稼動状況記憶部２１が記憶する電力送信側携帯端末１０におけるユーザの使用履歴に基づいて、稼働時間算出部２２が、そのユーザが１日（所定時間）に使用する機能と使用時間とを算出し、送信側閾値算出部２３が、その機能を１日実行するための必要電力量を算出している。そして、電力送信制御部２４は、算出された必要電力量を下回らないように電力を受け渡すようにしている。これにより、電力送信側携帯端末１０は、電力受信側携帯端末４０に対して過剰に電力を受け渡すことを防止できる。この結果、電力送信側携帯端末１０における電力低下に伴う機能低下を防止しながら、電力送信側携帯端末１０と電力受信側携帯端末４０との間において電力を受渡することを可能としている。また、電力を受け取る際には、電力受信側携帯端末４０におけるユーザの要望、すなわち、使用機能設定部４１および使用時間設定部４２において入力された１日あたりに使用したい機能と使用したい時間に基づいて、受信側閾値算出部４３が、その機能を１日しようするための必要電力量を算出している。そして、電力受信制御部４４は、算出された必要電力量を上回らないように電力を受け取るようにしている。これにより、電力受信側携帯端末４０は、電力送信側携帯端末４０から過剰に電力を受け取ることを防止できる。この結果、電力送信側携帯端末１０における電力低下に伴う機能低下を防止しながら、電力送信側携帯端末１０と電力受信側携帯端末４０との間において電力を受渡することを可能としている。
【００６３】
また、電力受渡システム１では、電力受信側携帯端末４０は、送信側閾値算出部２３で算出された必要電力量を確保した際、充電が完了したことを示す充電完了信号を電力送信制御部２４に送信する完了信号送信部５４を有している。そして、電力送信側携帯端末１０は、完了信号送信部５４より送信される完了信号を受信する完了信号受信部３４を有しており、電力送信制御部２４は、完了信号受信部３４が完了信号を受信した際、電力受信側携帯端末４０に電力を送信することを停止している。これにより、電力受信側携帯端末４０が、受信側閾値算出部４３で算出された必要電力量を確保して電力の受け取りを停止した際に、電力送信側携帯端末１０が電力を送信し続けることを回避することができる。この結果、電力送信側携帯端末１０において無駄に電力が放出されることを防止している。
【００６４】
また、電力受渡システムでは、完了信号送信部５４と完了信号受信部３４とは、ｉｃチップやbluetooth等の近距離無線通信によって充電完了信号を送受信している。これにより、完了信号送信部５４と完了信号受信部３４とが、充電完了信号を送受信することを容易に可能としている。
【００６５】
なお、本発明は、前述した実施形態に限定されるものではない。上記電力受渡システム１においては、図８に示すように、電力送信側携帯端末１０から電力受信側携帯端末４０への電力送信を有線（電力送信部）６１で接続することによって行ってもよい。この場合であっても、上記実施形態の電力受渡システム１と同様の効果を得ることができる。
【００６６】
また、上記電力受渡システム１に備えられた電力送信側携帯端末１０及び電力受信側携帯端末４０は、それぞれ単独で使用されても、上記実施形態の電力受渡システム１と同様の効果を得ることができる。
【００６７】
また、上記電力受渡システム１においては、電力送信制御部２４は、アプリケーション実行部１１の１日あたりの必要電力量に基づいて、電力送信部３３を制御する例を挙げて説明した。しかし、これに限られるものではなく、電力送信制御部２４は、例えば、１２時間あたり、あるいは、２日あたりといった設定時間に基づいて制御してもよい。また、電力送信側携帯端末１０は、上記設定時間を任意に設定できるような機能を有していてもよい。
【００６８】
また、上記電力受渡システム１においては、電力受信制御部４４は、ユーザの１日あたりの必要電力量に基づいて、電力受信部５３を制御する例を挙げて説明した。しかし、これに限られるものではなく、例えば、電力受信制御部４４は、１２時間あたり、あるいは、２日あたりといった設定時間に基づいて制御してもよい。また、電力受信側携帯端末４０は、上記設定時間を任意に設定できるような機能を有していてもよい。
【００６９】
また、上記電力受渡システム１においては、アプリケーション実行部１１として、複数のアプリケーション実行部１２〜１６が備えられている例を挙げて説明したが、いずれか１つであってもよい。また、ＴＶ視聴機能や、写真撮影機能等、他のアプリケーション実行部があってもよい。
【００７０】
また、上記電力受渡システム１においては、電力送信側携帯端末４０において電力受信命令を受領するタイミングを、ステップＳ０３の１日あたりの稼働時間を算出する前とする例を挙げて説明したが、その後であってもよい。
【００７１】
また、上記電力受渡システム１においては、電力受信側携帯端末４０において電力受信命令を受領するタイミングを、ステップＳ１２のユーザが使用したい機能の入力受付の前とする例を挙げて説明したが、使用したい機能の入力受付あるいは使用したい時間の入力受付後であってもよい。すなわち、使用したい機能、時間をあらかじめ登録しておいてもよい。
【符号の説明】
【００７２】
１…電力受渡システム、１０…電力送信側携帯端末、１１…アプリケーション実行部、１２…音声電話実行部、１３…ＴＶ電話実行部、１４…メール実行部、１５…Ｗｅｂ閲覧実行部、１６…Ｊａｖａアプリ実行部、２１…稼動状況記憶部、２２…稼動時間算出部、２３…送信側閾値算出部、２４…           電力送信制御部、３１…電池、３２…送信側電力量検知部、３３…電力送信部、３４…完了信号受信部、４０…電力受信側携帯端末、４１…使用機能設定部、４２…使用時間設定部、４３…受信側閾値算出部、４４…電力受信制御部、５１…電池、５２…受信側電力量検知部、５３…電力受信部、５４…完了信号送信部、６１…有線。
【図１】
2010237931.tif 000003
【図２】
2010237931.tif 000004
【図３】
2010237931.tif 000005
【図４】
2010237931.tif 000006
【図５】
2010237931.tif 000007
【図６】
2010237931.tif 000008
【図７】
2010237931.tif 000009
【図８】
2010237931.tif 000010